(57)【要約】  【課題】本発明は、各店舗に設置され、演奏予約機能を有するカラオケシステムに関し、利用者毎に楽曲の予約要求時に予め歌唱可能時間か否かを認知させて予約の受付を行うことで利用者の不満を軽減し、サービスの向上を図ることを目的とする。  【解決手段】所定利用者のＩＤ媒体３２のＩＤに基づく固有情報から、ルート特定手段４２が交通網時刻ＤＢ１６より当該店舗最寄り駅からの帰宅ルートを特定し、退店時刻設定手段４３が退店時刻を演算してＩＤに対応させて記憶し、利用者がＩＤから楽曲を予約した際、演奏終了時刻演算手段４１が予約対象楽曲と予約、実行されている楽曲との総演奏終了の予定合計時間を演算して、予約対象楽曲の終了時刻を予約要求時刻から演算し、比較手段４４で上記終了時刻がＩＤで抽出される退店時刻を過ぎないときには予約させ、過ぎるときにはその旨を表示させる構成とする。  【選択図】  図１
2006208892.tif 000002
【特許請求の範囲】
【請求項１】
歌唱対象の楽曲を予め予約しておく予約管理手段、少なくとも歌唱のための表示手段を含む所定の楽曲歌唱機能を少なくとも備えると共に、利用者の少なくとも識別符号が記憶されて送受信自在なＩＤ媒体を各利用者が所持し、所定の利用者の上記識別符号を含む所定情報を上記ＩＤ媒体より媒体読取手段が読み取ることで対応の少なくとも住所データを含む固有情報を取得するカラオケシステムであって、
所定地域または全国の交通網のデータ、各駅または各停留所の最終発車時刻のデータ、各ターミナルにおける乗り換え時間データを少なくとも格納する交通網時刻データベースと、
前記識別符号より特定される当該利用者の固有情報から前記交通網時刻データベースを用いて、予め設定されている当該システム設置の店舗の最寄り駅からの帰宅ルートを特定するルート特定手段と、
前記特定した帰宅ルートに基づき、前記交通網時刻データベースを用いて、前記予約者の最寄り駅に到着する最終時刻より前記店舗の最寄り駅の最終時刻を演算すると共に、当該店舗から最寄り駅までの所要時間を差し引いた退店時刻を演算して、当該利用者の識別符号に対応させて記憶しておく退店時刻設定手段と、
所定の利用者が楽曲予約者として前記識別符号を特定して所定の楽曲を予約したときに、前記楽曲歌唱機能により抽出した楽曲の演奏時間を特定すると共に、予め前記予約管理手段に予約、実行されている楽曲の総ての演奏時間を特定することで、当該予約楽曲を含めた総ての演奏終了時間の予定合計時間を演算し、予約対象楽曲が演奏終了する終了時刻を予約要求時刻より演算する演奏終了時刻演算手段と、
当該楽曲予約者の前記識別符号に基づいて、前記退店時刻設定手段より当該楽曲予約者の退店時刻を抽出し、前記演算した終了時刻が退店時刻を過ぎるか否かを判定し、過ぎないときには当該予約楽曲を前記予約管理手段に記憶させ、過ぎるときにはその旨を前記表示手段に表示させる比較手段と、
を有することを特徴とするカラオケシステム。
【請求項２】
請求項１記載のカラオケシステムであって、前記交通網時刻データベースは、前記予約者の最寄り駅を特定するための地図データを備えることを特徴とするカラオケシステム。
【請求項３】
請求項１または２記載のカラオケシステムであって、前記比較手段は、前記終了時刻が前記退店時刻を過ぎる場合に、予約するかまたは予約キャンセルするかを表示させ、前記予約者が予約を選択したときに前記予約楽曲を前記予約管理手段に記憶させることを特徴とするカラオケシステム。
【請求項４】
請求項１〜３の少なくとも何れかに記載のカラオケシステムであって、前記予約者の固有情報が前記識別符号と関連づけられて格納された会員データベースを備えることを特徴とするカラオケシステム。
【請求項５】
請求項１〜３の少なくとも何れかに記載のカラオケシステムであって、前記予約者の固有情報が前記識別符号と関連づけられて格納された会員データベースがネットワークで接続されるホストコンピュータに有する場合に、当該固有情報を得るために、当該ホストコンピュータに接続してデータ授受を行うネットワーク接続手段を備えることを特徴とするカラオケシステム。
【請求項６】
請求項１〜５の少なくとも何れかに記載のカラオケシステムであって、前記ＩＤ媒体が、前記識別符号の他に、少なくとも所持者の住所データまたは最寄り駅データの固有情報が記憶されている場合に、当該固有情報を、当該ＩＤ媒体より前記媒体読取手段が取得することを特徴とするカラオケシステム。
【発明の詳細な説明】
【技術分野】
【０００１】
本発明は、各店舗に設置され、演奏予約機能を有するカラオケシステムに関する。
【背景技術】
【０００２】
近年、カラオケ店に設置されるカラオケ装置が多機能化しており、歌唱採点、全国的歌唱ランキングの付与サービスや、カラオケ装置付属の遠隔入出力端末がインターネット端末の機能を有するものまである。このように、カラオケ装置が多機能なものであっても、利用者の満足度を向上させる新たなサービス提供も望まれている。
【０００３】
従来、カラオケ装置に付随させた機能として、最終電車が近い利用者や後に約束がある利用者でも安心してカラオケを楽しむことができるようにしたものや、電車やバスの発車時刻が近付いたことをモニタに表示することができるようにしたものなどが、以下の特許文献等で知られている。
【０００４】
【特許文献１】特開平１０−３０１５８７号公報
【特許文献２】特開平１１−１５４８５号公報
【０００５】
上記特許文献１には、最終電車が近い利用者や後に約束がある利用者でも安心してカラオケを楽しむことができるようにさせるために、約束や門限などの予定時刻をカラオケ装置にセットすることで、装置はカラオケ演奏中であっても現在時刻を監視し、この予定時刻が到来したとき、カラオケ演奏を中断して予定時刻が到来した旨をアラームすることなどが開示されている。
【０００６】
また、上記特許文献２には、電車やバスの発車時刻が近付いたことをモニタに表示することができるようにさせるために、駅までの所要時間を交通手段ごとにモニタに表示し、駅および所要時間の選択を検出したときに、上記選択した駅の時刻表をモニタに表示し、発車時刻の選択を検出したときに、上記選択した発車時刻から上記選択した所要時間を減算した時刻を表示時刻に設定することにより、現在時刻が表示時刻になったと判定されたときにメッセージ映像をモニタに表示することが開示されている。
【発明の開示】
【発明が解決しようとする課題】
【０００７】
しかしながら、上記特許文献１，２のいずれであっても、予定時刻や設定表示時刻が到来したときに、その旨のアラームやメッセージ等を表示させるだけのものであり、特に歌唱中に時刻が到来した場合には歌唱を中断しなければならず、利用者の不満が残るという問題がある。
【０００８】
そこで、本発明は上記課題に鑑みなされたもので、利用者毎に楽曲の予約要求時に予め歌唱可能時間か否かを認知させて予約の受付を行うことで利用者の不満を軽減し、サービスの向上を図るカラオケシステムを提供することを目的とする。
【課題を解決するための手段】
【０００９】
上記課題を解決するために、請求項１の発明では、歌唱対象の楽曲を予め予約しておく予約管理手段、少なくとも歌唱のための表示手段を含む所定の楽曲歌唱機能を少なくとも備えると共に、利用者の少なくとも識別符号が記憶されて送受信自在なＩＤ媒体を各利用者が所持し、所定の利用者の上記識別符号を含む所定情報を上記ＩＤ媒体より媒体読取手段が読み取ることで対応の少なくとも住所データを含む固有情報を取得するカラオケシステムであって、定地域または全国の交通網のデータ、各駅または各停留所の最終発車時刻のデータ、各ターミナルにおける乗り換え時間データを少なくとも格納する交通網時刻データベースと、前記識別符号より特定される当該利用者の固有情報から前記交通網時刻データベースを用いて、予め設定されている当該システム設置の店舗の最寄り駅からの帰宅ルートを特定するルート特定手段と、前記特定した帰宅ルートに基づき、前記交通網時刻データベースを用いて、前記予約者の最寄り駅に到着する最終時刻より前記店舗の最寄り駅の最終時刻を演算すると共に、当該店舗から最寄り駅までの所要時間を差し引いた退店時刻を演算して、当該利用者の識別符号に対応させて記憶しておく退店時刻設定手段と、所定の利用者が楽曲予約者として前記識別符号を特定して所定の楽曲を予約したときに、前記楽曲歌唱機能により抽出した楽曲の演奏時間を特定すると共に、予め前記予約管理手段に予約、実行されている楽曲の総ての演奏時間を特定することで、当該予約楽曲を含めた総ての演奏終了時間の予定合計時間を演算し、予約対象楽曲が演奏終了する終了時刻を予約要求時刻より演算する演奏終了時刻演算手段と、該楽曲予約者の前記識別符号に基づいて、前記退店時刻設定手段より当該楽曲予約者の退店時刻を抽出し、前記演算した終了時刻が退店時刻を過ぎるか否かを判定し、過ぎないときには当該予約楽曲を前記予約管理手段に記憶させ、過ぎるときにはその旨を前記表示手段に表示させる比較手段と、有する構成とする。
【００１０】
請求項２〜６の発明では、「前記交通網時刻データベースは、前記予約者の最寄り駅を特定するための地図データを備える」構成であり、
「前記比較手段は、前記終了時刻が前記退店時刻を過ぎる場合に、予約するかまたは予約キャンセルするかを表示させ、前記予約者が予約を選択したときに前記予約楽曲を前記予約管理手段に記憶させる」構成であり、
「前記予約者の固有情報が前記識別符号と関連づけられて格納された会員データベースを備える」構成であり、
「前記予約者の固有情報が前記識別符号と関連づけられて格納された会員データベースがネットワークで接続されるホストコンピュータに有する場合に、当該固有情報を得るために、当該ホストコンピュータに接続してデータ授受を行うネットワーク接続手段を備える」構成であり、
「前記ＩＤ媒体が、前記識別符号の他に、少なくとも所持者の住所データまたは最寄り駅データの固有情報が記憶されている場合に、当該固有情報を、当該ＩＤ媒体より前記媒体読取手段が取得する」構成である。
【発明の効果】
【００１１】
本発明によれば、当該利用者のＩＤ媒体に基づく固有情報から交通網時刻データベースを用いて、システム設置店舗の最寄り駅からの帰宅ルートを特定し、これに基づき当該交通網時刻データベースを用いて退店時刻を演算し、利用者のＩＤ媒体からの識別符号に対応させて予め設定しておき、所定の利用者が楽曲予約者として前記識別符号を特定して所定の楽曲を予約したときに、予約楽曲の演奏時間、および予め予約管理手段に予約、実行されている楽曲の総ての演奏時間を特定して、当該予約楽曲を含めた総ての演奏終了時間の予定合計時間を演算すると共に予約対象楽曲が演奏終了する終了時刻を予約要求時刻より演算し、上記退店時刻を過ぎるか否かを判定するもので、過ぎないときには当該予約楽曲を記憶させ、過ぎるときにはその旨を表示させることにより、利用者毎に楽曲の予約要求時において退店時刻までに歌唱可能時間か否かを認知させた上で予約の受付を行うことから、歌唱途中で不意に最終時刻が到来するという事態を回避させることができ、利用者の不満を軽減させ、サービスの向上を図ることができるものである。
【発明を実施するための最良の形態】
【００１２】
以下、本発明の最良の実施形態を図により説明する。
図１に、本発明に係るカラオケシステムの概念ブロック図を示す。図１に示すカラオケシステム１１は、バス１２、制御手段１３、ＲＡＭ１４、楽曲ＤＢ（データベース）１５、会員ＤＢ１６、交通網時刻ＤＢ１７、楽曲検索手段１８、予約管理手段１９、予約処理手段２０、映像出力手段２１、表示手段２２、操作制御手段２３、音声入力手段２４、マイク２５、音楽曲出力手段２６、スピーカ２７、表示ファイル作成手段２８、媒体読取手段２９、送受信手段３０および遠隔入出力端末３１を適宜備える。なお、上記構成のうち、交通網時刻ＤＢ１６および予約処理手段２０を除く構成が、当該システムにおける一般的な楽曲歌唱機能となる。
【００１３】
上記制御手段１３は、このシステムを統括的に制御するもので、例えば物理的なＣＰＵに制御のためのプログラムが格納され、当該プログラムはＲＡＭ１４等に展開されて実行される。当該ＲＡＭ１４は、種々のプログラムを展開、実行させるための作業領域としての役割をするものであり、例えば半導体メモリで構成され、仮想的にハードディスク上に構築される場合をも含む概念である。
【００１４】
上記楽曲ＤＢ１５は、例えばハードディスク（ＨＤＤ）等の記憶装置であり、少なくとも、楽曲元データ（ファイル）、楽曲コード（テーブル）および映像データ（ファイル）を備える。楽曲元データ（ファイル）は、楽曲コード毎にデジタル的な楽曲データおよび演奏時間を保存するもので、当該楽曲（ファイル）コードは楽曲コードと楽曲名が関連付けられている。映像データ（ファイル）は、楽曲（コード）に対応した背景等の映像データを保存する。
【００１５】
上記会員ＤＢ１６は、例えばＨＤＤ等の記憶装置であり、少なくとも、会員として登録したそれぞれの利用者の年齢、性別、職業、住所地のデータ等を識別符号（ＩＤ）で関連づけて保持する。上記交通網時刻ＤＢ１７は、例えばＨＤＤ等の記憶装置であり、最終時刻データ（ファイル）、路線網データ（ファイル）、乗換時間データ（ファイル）、および適宜住所より最寄り駅が抽出可能な地図データ（ファイル）をそれぞれ備えるもので、例えば既存の運賃や路線ルートを調べるためのアプリケーションソフトのデータファイルや、適宜地図アプリケーションソフトのデータファイルを応用することができる。
【００１６】
上記楽曲検索手段１８は、例えば新曲、歌手名、曲名、ジャンルおよび履歴のそれぞれについて、上記楽曲ＤＢ１５に記憶されている楽曲を検索するためのもので、そのためのプログラムがＲＡＭ１４に展開されて実行される。上記予約管理手段１９は、利用者（予約者）が予約した楽曲を記憶しておき、順番に歌唱対象とするもので（図３で詳述する）、そのためのメモリ領域を備え、当該メモリ領域に記憶されるデータは上記制御手段１３により制御される。
【００１７】
上記予約処理手段２０は、利用者（予約者）からの楽曲予約を受け付けるか否か等の処理を行うもので、そのための演奏終了時刻演算手段４１、ルート特定手段４２、退店時刻設定手段４３および比較手段４４を備える。上記楽曲演算手段４１は、所定の利用者が楽曲予約者として後述のＩＤ媒体（３２）によるＩＤを用いて所定の楽曲を予約したときに、上記楽曲検索手段１８で抽出した楽曲の演奏時間を特定すると共に、予め予約管理手段１９に予約、実行されている楽曲の総ての演奏時間を特定することで、当該予約楽曲を含めた総ての演奏終了時間の予定合計時間を演算するものであり、そのためのプログラムがＲＡＭ１４に展開されて実行される。
【００１８】
上記ルート特定手段４２は、予め当該システム設置の店舗の最寄り駅のデータが設定されており、ＩＤより特定される当該予約者の固有情報から交通網時刻ＤＢ１６を用いて、当該最寄り駅からの帰宅ルートを特定するためのもので、そのためのプログラムがＲＡＭ１４に展開されて実行される。当該プログラムは、例えば上記既存の運賃や路線ルートを調べるためのアプリケーションソフトの検索プログラムを応用することができる。
【００１９】
上記退店時刻設定手段４３は、予め当該システム設置の店舗の最寄り駅までの所要時間（例えば、徒歩）のデータが設定されており、上記特定した帰宅ルートに基づき、上記交通網時刻ＤＢ１６を用いて、ＩＤで特定した予約者の最寄り駅に到着する最終時刻より当該店舗の最寄り駅の最終時刻を演算すると共に、当該店舗から最寄り駅までの所要時間を差し引いた最終退店時刻を演算して予約者のＩＤ媒体からのＩＤに対応させて予め記憶しておくもので、そのためのプログラムがＲＡＭ１４に展開されて実行される。
【００２０】
上記比較手段４４は、楽曲予約者のＩＤに基づいて、退店時刻設定手段４３より当該楽曲予約者の最終退店時刻を抽出し、演算した演奏終了時刻が最終退店時刻を過ぎるか否かを判定し、過ぎないときには当該予約楽曲を上記予約管理手段１９に記憶させ、過ぎるときにはその旨を表示手段２２に表示させるものとして、例えば上記演奏終了時刻が上記最終退店時刻を過ぎる場合に、予約するかまたは予約キャンセルするかを表示させ、予約者が予約を選択したときに予約楽曲を予約管理手段１９に記憶させるもので、そのためのプログラムがＲＡＭ１４に展開されて実行される。
【００２１】
上記映像出力手段２１は、後述の遠隔入出力端末３１に種々の表示をさせるための映像を後述の送受信手段３０を介して出力すると共に、選択された楽曲コードに対応した映像データを当該楽曲に同期させて表示手段２２に出力するもので、そのためのプログラムがＲＡＭ１４に展開されて実行される。遠隔入出力端末３１はＧＵＩ機能を付帯し、例えば液晶ディスプレイ（ＬＣＤ）とタッチセンサとを積層した入出力用の利用者インタフェイスが搭載され、当該タッチセンサにより楽曲の選択などのデータを入力することができるものである。そして、操作制御手段２３は、当該タッチセンサからの入力データを制御するもので、そのためのプログラムがＲＡＭ１４に展開されて実行される。
【００２２】
上記音声入力手段２４は、マイク２５からのアナログ音声データをＡ／Ｄコンバータ（図示省略）を介してデジタル変換する処理を主体とし、上記音楽曲出力手段２６は、楽曲ＤＢ１５より抽出された楽曲の楽曲元データをデジタル再生してアナログ変換すると共に、上記マイク２５からのデジタル音声データをアナログ変換し、ミキシングしてスピーカ２７に出力する。
【００２３】
上記表示ファイル作成手段２８は、当該システム１１やその付帯する遠隔入出力端末３１において、利用者の選曲等を表示手段２２に表示させるためのファイルデータを転送するもので、そのためのプログラムがＲＡＭ１４に展開されて実行される。上記媒体読取手段２９は、上記会員ＤＢ１５に登録している登録者である利用者が所持するＩＤ媒体３２を読み取る装置である。ＩＤ媒体３２は、少なくとも利用者のＩＤを記憶し、上記媒体読取手段２９と例えば非接触でデータ授受が自在のものである。ＩＤ媒体３２としては、例えば、非接触型のＩＣカードや、携帯電話や小型モバイルコンピュータに内蔵させたＩＣカード機能回路等がある。
【００２４】
上記送受信手段３０は、遠隔入出力端末３１との間で有線方式ないし無線方式（ブルートゥース機構のピコネット接続方式）を利用してデータ授受を行うためのもので、そのための回路基板およびプログラムを備える。当該遠隔入出力端末３１はカラオケに関するものや、インターネット接続による情報収集等の種々の操作および表示が可能であり、上記操作制御手段２３によって当該操作信号が制御される。
【００２５】
そこで、図２に、図１のカラオケシステムにおける楽曲予約処理のフローチャートを示す。また、当該フローチャートに関連して、図３に図１の予約管理手段における楽曲の予約の一例の説明図を示し、図４に図１の予約処理手段における利用者の帰宅ルートの特定および退店時刻の演算の概念の説明図を示し、図５に図１の予約処理手段における予約判定処理の説明図を示し、図６に図５の予約判定処理の予約受付判定結果表示の説明図を示す。
【００２６】
図２において、まず、システム利用者が歌唱前に所持するＩＤ媒体３２を媒体読取手段２９にセットしたときに、当該利用者のＩＤ（識別符号）を取り込み、予約処理手段２０のルート特定手段４２が、上記媒体読取手段２９で取り込んだ利用者ＩＤに基づいて、会員ＤＢ１６より当該予約者の住所データ又は最寄り駅データを抽出し、これと予め設定されている当該カラオケシステム所在の店舗の最寄り駅データから、対応の所定数の路線を交通網時刻ＤＢ１７の上記路線網データより抽出し、予約者の帰宅路線ルート（最短ルート）を特定する（ステップ（Ｓ）１）。
【００２７】
例えば、図４（Ａ）に示すように、当該店舗の最寄り駅Ａから地下鉄Ｇ線を利用してＢ駅でＪＲのＹ線のＣ駅で乗り換え、予約者の最寄り駅Ｄに到着させるルートを特定する。この場合、店舗から最寄り駅Ａまでは、徒歩として特定する。なお、予約者のＩＤで会員ＤＢ１６から抽出される固有情報に最寄り駅データが含まれていれば当該最寄り駅Ｄから交通網時刻ＤＢ１７から抽出すればよく、また、固有情報が住所データだけであれば当該住所データから当該交通網時刻ＤＢ１７に格納されている地図データより最寄り駅Ｄを特定するものである。
【００２８】
続いて、予約処理手段２０の退店時刻設定手段４３が、上記特定した帰宅路線ルートに基づいて、交通網時刻ＤＢ１９の上記最終時刻データおよび乗換時間データから、当該利用者の最寄り駅Ｄに到着する最終時刻より逆算して、乗り換え駅Ｃの最終時刻、乗り換え時間、Ｂ駅到着時刻、当該店舗の最寄り駅の最終時刻および店舗から最寄り駅までの所要時間を特定して当該店舗を退出する最終退店時刻を演算して、当該利用者の識別符号に対応させて記憶する（Ｓ２）。
【００２９】
例えば、図４（Ｂ）に示すように、予約者の最寄り駅Ｄへの最終到着時刻（Ｔ１）から、ＪＲのＹ線の乗り換え駅Ｃの最終発車時刻（Ｔ２）が特定され、乗り換え時間（ｙ）が加えられてＢ駅到着時刻（Ｔ３）が特定される。そして、当該店舗の最寄り駅Ａの最終発車時刻（Ｔ４）から、店舗から最寄り駅までの所要時間（ｘ）が差し引かれることで、当該店舗を退出する最終退店時刻が演算されるものである（図５（Ａ））。
【００３０】
そこで、楽曲予約者が、自己のＩＤを特定して歌唱を希望する楽曲（楽曲コード）を遠隔入出力端末３１より入力すると、予約管理手段１９が予約対象楽曲の楽曲コードを受付け、当該楽曲予約者のＩＤを特定する（Ｓ３）。そして、楽曲検索手段１８が予約対象の楽曲コードから楽曲検索手段で楽曲ＤＢ１５より楽曲を検索し、当該楽曲の楽曲データおよび演奏時間データを抽出する（Ｓ４）。
【００３１】
続いて、予約処理手段２０の演奏終了時刻演算手段４１が、予約管理手段１９より、総予約楽曲合計時間として、現在の演奏中楽曲の残り時間、および予約待ち楽曲総ての楽曲の演奏時間データを読み出し、当該予約対象楽曲の演奏時間を加えた予定合計時間を演算する（Ｓ５）。当該予約管理手段１９には、例えば、図３に示すように、予約順番、曲名、演奏時間（残り時間）および演奏状態が記憶されている。図３の一例では、予約順番１は実行中（演奏中）であり、カウントダウンされている状態で、楽曲の予約要求時点での残り時間が特定され、これに予約待ちの楽曲（予約順番２〜５）の演奏時間が加えられて、上記予定合計時間が演算される（図５（Ｂ））。また、演奏終了時刻演算手段４１において、予約要求時刻および演算した予定合計時間から当該予約対象楽曲が演奏終了する終了時刻を演算する（Ｓ６、図５（Ｃ））。
【００３２】
そこで、予約処理手段２０の比較手段４４が、特定したＩＤに基づいて、退店時刻設定手段４３に設定されている当該予約者の最終退店時刻を抽出し、終了時刻と比較する（Ｓ７）。そして、終了時刻が退店時刻を過ぎるか否かを判定し（Ｓ８）、判定の結果（Ｓ９）、終了時刻が最終退店時刻を過ぎない場合には、予約を受け付け、当該予約要求の楽曲名、演奏時間および状態（予約待ち）を予約管理手段１９の次の順番に記憶させる（Ｓ１０、図５（Ｄ））。
【００３３】
一方、判定の結果（Ｓ９）、終了時刻が最終退店時刻を過ぎる場合には、とりあえず予約を拒否し、表示手段２２に、当該予約対象楽曲の演奏終了時刻が最終退店時刻を超えることを表示させると共に、予約するか否かを選択させるための表示をさせる（Ｓ１１、図５（Ｄ））。例えば、図６に示すように、終電に間に合わない旨の表示を行わせ、それでも予約するか否かを予約者に選択させる。
【００３４】
予約者によって、予約が選択された場合には（Ｓ１２）、予約を受け付け、当該予約要求の楽曲名、演奏時間および状態（予約待ち）を予約管理手段１９の次の順番に記憶させる。また、予約キャンセルが選択された場合には（Ｓ１２）、予約は行われずに終了するものである。
【００３５】
このように、利用者毎に楽曲の予約要求時に、当該楽曲が予約者の帰宅終電時刻までに歌唱可能時間か否かを認知させた上で予約の受付を行うことから、歌唱途中で不意に終電時刻が到来するという事態を回避させることができもので、利用者の不満を軽減させることができ、サービスの向上を図ることができるものである。
【００３６】
ところで、図１に示す会員ＤＢ１５は、必ずしも当該システム１１が備える必要はなく、例えば、コンピュータネットワークに接続されたホストコンピュータに備えることとしてもよい。この場合、当該システム１１には、当該ホストコンピュータとの間でデータ授受のためのネットワーク接続手段が設けられるものである。
【００３７】
また、昨今のＩＤ媒体３２の高機能化を考慮すれば、当該ＩＤ媒体３２に所持者のＩＤの他に、本件発明に関すれば住所データや、最寄り駅データを記憶させ、システム利用時に当該住所データや最寄り駅データをＩＤと共に媒体読取手段２９で読み込ませればよく、当該システム１１では楽曲予約処理にあたって予約者の会員ＤＢ１５での住所や最寄り駅を抽出、特定する必要がないものである。
【産業上の利用可能性】
【００３８】
本発明のカラオケシステムは、カラオケボックス等のカラオケ歌唱店舗に設けられるのに適する。
【図面の簡単な説明】
【００３９】
【図１】本発明に係るカラオケシステムの概念ブロック図である。
【図２】図１のカラオケシステムにおける楽曲予約処理のフローチャートである。
【図３】図１の予約管理手段における楽曲の予約の一例の説明図である。
【図４】図１の予約処理手段における利用者の帰宅ルートの特定および退店時刻の演算の概念の説明図である。
【図５】図１の予約処理手段における予約判定処理の説明図である。
【図６】図５の予約判定処理の予約受付判定結果表示の説明図である。
【符号の説明】
【００４０】
１１            カラオケシステム
１５            楽曲ＤＢ（データベース）
１６            会員ＤＢ
１７            交通網時刻ＤＢ
１９            予約管理手段
２０            予約処理手段
３１            遠隔入出力端末
３２            ＩＤ媒体
４１            演奏終了時刻演算手段
４２            ルート特定手段
４３            退店時刻設定手段
４４            比較手段
【図１】
2006208892.tif 000003
【図２】
2006208892.tif 000004
【図３】
2006208892.tif 000005
【図４】
2006208892.tif 000006
【図５】
2006208892.tif 000007
【図６】
2006208892.tif 000008